(57)【要約】【課題】本発明は単独使用あるいは断熱材内部に構成品で使っても高反射及び低放射機能を有するようにした熱反射断熱材の製造装置及び方法に関する。【解決手段】架橋発泡ポリエチレンシートを供給するためのフィーダーと、製造完了された熱反射断熱材を巻き取るためのワインダーを前、後方に有し具備されるフレームと、上記フレームの先側にフィーダーから供給される架橋発泡ポリエチレンシートに複数の切開溝を形成するように具備する切開部と、前記切開部の後方に切開溝が形成された架橋発泡ポリエチレンシートの幅を広げながら切開溝が通孔で変形させるように設置する拡張部と、前記拡張部の後方に架橋発泡ポリエチレンシートの拡張された幅と切開溝の変形された通孔が自身の形象を持続的に維持するように冷却ローラーを有して設置される冷却部と、前記冷却部の後方に幅が広くなって通孔が形成された架橋発泡ポリエチレンシートに高反射性と低放射性を発揮するように一面または両面にアルミニウムフィルム付着させるように設置する合紙部を含むことが特徴である。【代表図】  図１
2011521187.tif 000002
【特許請求の範囲】
【請求項１】
架橋発泡ポリエチレンシート101を供給するためのフィーダー102と、
製造完了された熱反射断熱材103を巻き取るためのワインダー104を前後方に有し、具備されるフレーム105と、
前記フレーム105の前方にフィーダー102から供給される架橋発泡ポリエチレンシート101に複数の切開溝106を形成するように具備される切開部110と、
前記切開部110の後方に切開溝106が形成された架橋発泡ポリエチレンシート101の幅を広げながら切開溝106を通孔107に変形させるように設置される拡張部130と、
前記拡張部130の後方に架橋発泡ポリエチレンシート101の拡張された幅と切開溝106が変形された通孔107が自身の形象を持続的に維持するように冷却ローラー151、152を備えて設置される冷却部150と、
前記冷却部150の後方に、幅が広くなり通孔107の形成された架橋発泡ポリエチレンシート101に高反射性と低放射性を発揮するように一面または両面にアルミニウムフィルム108を付着させるように設置される合紙部170を含むことを特徴とする熱反射断熱材の製造装置。
【請求項２】
架橋発泡ポリエチレンシート101を供給するためのフィーダー102と、
製造完了された熱反射断熱材103を巻き取るためのワインダー104を前後方に有し具備されるフレーム105と、
前記フレーム105の前方にフィーダー102から供給される架橋発泡ポリエチレンシート101に複数の切開溝106を形成するように具備される切開部110と、
前記切開部110の後方に切開溝106が形成された架橋発泡ポリエチレンシート101の幅を広げながら切開溝106を通孔107に変形させるように設置される拡張部130と、
前記拡張部130の後方に架橋発泡ポリエチレンシート101の拡張された幅と切開溝106が変形された通孔107が自身の形象を持続的に維持するように冷却ローラー151、152を備えて設置される冷却部150と、
前記冷却部150の後方に、幅が広くなり通孔107が形成された架橋発泡ポリエチレンシート101に高反射性と低放射性を発揮するように一面にアルミニウムフィルム108を付着させるように設置される合紙部170と、
前記合紙部170の後方に設置されて架橋発泡ポリエチレンシート101の一面にアルミニウムフィルム108を付着した架橋発泡ポリエチレンシート101の他の面にアルミニウムフィルム108を直接熱を利用して付着する第２合紙部180を含むことを特徴とする熱反射断熱材の製造装置。
【請求項３】
加工しようとする架橋発泡ポリエチレンシートを準備して供給する供給段階S1と、
供給された架橋発泡ポリエチレンシートに等間隔に複数の切開溝を形成する切開溝形成段階S2と、
切開溝が形成された架橋発泡ポリエチレンシートに熱を加えて幅を広げながら切開溝を通孔形象に変化させる拡張段階S3と、
架橋発泡ポリエチレンシートの幅と通孔が拡張された状態を維持するように冷凍させる冷却段階S4と、
冷却した架橋発泡ポリエチレンシートの一面または両面にアルミニウムフィルムを付着させて通孔を通じてアルミニウムフィルムの固有機能である高反射機能と低放射機能を発揮するようにする合紙段階S5からなることを特徴とする熱反射断熱材の製造方法。
【請求項４】
前記切開部110は、供給される架橋発泡ポリエチレンシート101に切開溝106を形成する切開ローラー111と、
前記切開ローラー111の後方に設置されて切開溝106が形成された架橋発泡ポリエチレンシート101を拡張部130へ供給する上、下ピディングローラー112、113とを備え、
前記切開ローラー111は、フレーム105に維持される下部ローラー114と、
前記下部ローラー114の上方に位置して切開溝106を形成するように複数のブレード115を有する上部ローラー116を含み、
前記ブレード115は隣接したブレード115とは互い違いの位置にあるように形成し、
前記ブレード115の維持する刃角度は切開溝の形成を容易にしながら摩耗性を減らすように下部ローラー114の水平面を基準に60゜以下を維持することを特徴とする請求項１に記載の熱反射断熱材の製造装置。
【請求項５】
前記拡張部130は、入口131は狭く、出口132は広い状態でフレーム105に維持される拡張トンネル133と、
前記拡張トンネル133の両側に設置されて排出される架橋発泡ポリエチレンシート101の両側縁を取って移送させる移送手段135と、
前記拡張トンネル133の内部に設置されて移送されながら幅が広くなる架橋発泡ポリエチレンシート101の変形を助けるように熱を発生させるヒーター140を含むことを特徴とする請求項１に記載の熱反射断熱材の製造装置。
【請求項６】
前記合紙部170は、幅が広くなり通孔107が形成された架橋発泡ポリエチレンシート101の一面または両面にアルミニウムフィルム108を付着するように設置されるヒーティングローラー171、172と、
前記ヒーティングローラー171、172の後尾フレーム105の上、下側に設置されて合紙するアルミニウムフィルム108をヒーティングローラー171、172の前方の上、下側へ供給するアルミニウムフィルムフィーダーを含むことを特徴とする請求項１に記載の熱反射断熱材の製造装置。
【請求項７】
前記架橋発泡ポリエチレンシートの厚さは 5mm以上であることを特徴とする請求項1又は２に記載の熱反射断熱材の製造装置。
【請求項８】
前記架橋発泡ポリエチレンシートの厚さは 5mm以上であることを特徴とする請求項３に記載の熱反射断熱材の製造方法。
【請求項９】
前記架橋発泡ポリエチレンシートに形成される通孔107の面積は拡張された状態で１m2あたり60〜80％の範囲を有するようにし、
前記架橋発泡ポリエチレンシートに形成される一つの通孔107が2cm2以上の大きさを有するようにすることを特徴とする請求項1又は２記載の熱反射断熱材の製造装置。
【請求項１０】
前記架橋発泡ポリエチレンシートに形成される通孔107の面積は拡張された状態で１m2あたり60〜80％の範囲を有するようにし、
前記架橋発泡ポリエチレンシートに形成される一つの通孔107が2cm2以上の大きさを有するようにすることを特徴とする請求項３に記載の熱反射断熱材の製造方法。
【請求項１１】
前記架橋発泡ポリエチレンシートに形成される通孔107と通孔107の間に形成する隔壁の幅は3〜10mmであることを特徴とする 請求項1又は２に記載の熱反射断熱材の製造装置。
【請求項１２】
前記架橋発泡ポリエチレンシートに形成される通孔107と通孔107の間に形成する隔壁の幅は3〜10mmであることを特徴とする 請求項３に記載の熱反射断熱材の製造方法。
【請求項１３】
前記第２合紙部180はアルミニウムフィルム108を片面に付着して合紙部(170)から引き出しされる架橋発泡ポリエチレンシート101の他の片面に直接熱を加えて架橋発泡ポリエチレンシート101の表面を溶融させるように設置するバーナー181と、
前記バーナー181の後方とワインダー104の間に設置して溶融された架橋発泡ポリエチレンシート101の表面にアルミニウムフィルム108を付着する合紙ローラー183と構成することを特徴とする請求項２に記載の熱反射断熱材の製造装置。
【請求項１４】
前記切開ローラー111の上部ローラー116と、前記上ピディングローラー112と、上側に位置する冷却ローラー151と、ヒーティングローラー171と、は高さ調節手段175によって、供給される架橋発泡ポリエチレンシート101の厚さに対応するように高さが調節されることを特徴とする請求項４または６に記載の熱反射断熱材の製造装置。
【発明の詳細な説明】
【技術分野】
【０００１】
本発明は熱反射断熱材の製造装置および製造方法に関する。詳しくは、例えば、単独で使用するばかりでなく、他の素材に接合して用いることができる高反射機能と低放射機能を有する熱反射断熱材の製造装置およびその製造方法に係るものである。
【背景技術】
【０００２】
熱反射断熱材は、主として建築物の外壁面に付着施工されて建築物の外部から室内へ冷気または熱気が流入されることを遮断し、内部の熱気または冷気が外部へ流出されることを遮断して室内の冷、温気の損失を最小限に食い止めることができる役割を遂行するものである。
【０００３】
従来にもこのような熱反射断熱材は多くの種類が開発されて使われており、本願の出願人も既に熱反射断熱材を出願して韓国の実用新案登録第420049号で登録受けたことがあり、このような先行技術が適用された熱反射断熱材の構成を図13によって見れば次のようである。
【０００４】
従来技術が適用される熱反射断熱材1は、不織布材質で形成する第１断熱層2と、前記第１断熱層2の一面に発砲架橋材質で接着する第２断熱層3と、前記第２断熱層3の他の面に多数のエアーセル4を有し具備される第３断熱層5と、前記第1、3断熱層2、5の外面にアルミニウムフィルム6を付着して構成している。
【発明の概要】
【発明が解決しようとする課題】
【０００５】
前記のような一般的な熱反射断熱材は、断熱性の優秀なエアーギャップ、不織布、発砲架橋シートなどのように、既に作られた材料を接着剤あるいは樹脂を利用して単純接着し、これらの両面にアルミニウムフィルムを接着する形態を有するために、製造装置の構成も単純にロ−ルタイプの材料を供給し、供給される材料を加圧ロールを利用して圧搾する形態に構成される。
【０００６】
勿論、このような熱反射断熱材を構成することにおいて、必要にしたがって高反射及び低放射機能を有するアルミニウムフィルムを断熱材の構成材料の間に介して断熱性能を高めようとしているが、現実的には不必要なアルミニウムフィルムのみ浪費するものになる。
【０００７】
これはアルミニウムフィルムの場合、アルミニウムの固有の特性である高反射性(外部から内部に流入されることを遮断する性質)と低放射性(内部から外部に流出されることを遮断する性質)を最大限に発揮するようにするためには、アルミニウムフィルムの表面に他の付着物が付着してはいけないということである。
【０００８】
これが、断熱材を構成する際、両側にアルミニウムフィルムを付着する理由であり、施工の時、外側に位置するアルミニウムフィルムは、高反射機能を遂行し、内側に位置するアルミニウムフィルムは、低放射機能を遂行するようになる。
【０００９】
このような事実は、熱反射断熱材の技術分野に携わる技術者なら、誰もが知っている事実にもかかわらず、熱反射断熱材を構成するそれぞれの構成品の間にアルミニウムフィルムを介することは、他の熱反射断熱材との技術的な重複性を回避しようとする意味が大きい。
【課題を解決するための手段】
【００１０】
したがって、本発明は前記のような問題点を解決するために発明したものであり、架橋発泡ポリエチレンシートに切開溝を形成し、前記切開溝が形成された架橋発泡ポリエチレンシートの幅を拡張させて通孔を形成させ、前記通孔の形成された架橋発泡ポリエチレンシートの両面にアルミニウムフィルムを付着して、単独に熱反射断熱材で使うようにするばかりでなく、熱反射断熱材を構成する構成品の内部に介在させて使っても架橋発泡ポリエチレンシートに形成された通孔位置のアルミニウムフィルムは、接着されないので、高反射または低放射機能を十分に遂行するようにする製造装置と製造方法を提供することが特徴である。
【００１１】
本発明は全体の面積に対して60〜80％に当たる通孔を形成した架橋発泡ポリエチレンシートの両面にアルミニウムフィルムを付着した熱反射断熱材を提供して単独あるいは熱反射断熱材構成品の内部に介して使っても、アルミニウムフィルムの固有の特性である高反射及び低放射機能を十分に発揮して断熱性能を高め、熱反射断熱材の品質を高めて対外的な競争力の優位にあり得るなど、様々な効果を有する発明である。
【図面の簡単な説明】
【００１２】
【図１】図1は本発明の技術が適用された熱反射断熱材の製造装置を表した全体側面構成図。
【図２】図2は本発明の技術が適用された熱反射断熱材の製造装置の切開部を表した斜視図。
【図３】図3は本発明の技術が適用された熱反射断熱材の製造装置の切開部を表した断面図。
【図４】図4は本発明の技術が適用された熱反射断熱材の製造装置の拡張部を表した平断面図。
【図５】図5は本発明の技術が適用された熱反射断熱材の製造装置の拡張部を表した側断面図。
【図６】図6は本発明の技術が適用された熱反射断熱材の製造装置の冷却部を表した断面図。
【図７】図7は本発明の技術が適用された熱反射断熱材の製造装置の合紙部を表した斜視図。
【図８】図8は本発明の技術が適用された熱反射断熱材の製造装置の合紙部を表した断面図。
【図９】図9は本発明の技術が適用された熱反射断熱材の製造装置によって熱反射断熱材が製造される過程を表したブロック図。
【図１０】図10は本発明の技術が適用された熱反射断熱材の製造装置によって切開溝が形成された架橋発泡ポリエチレンシートの斜視図。
【図１１】図11は本発明の技術が適用された熱反射断熱材の製造装置によって完成された熱反射断熱材の斜視図。
【図１２】図12は本発明の技術が適用された熱反射断熱材の製造装置の他の例を表した構成図。
【図１３】図13は従来技術が適用された一般的な熱反射断熱材の構成を表した断面図。
【発明を実施するための形態】
【００１３】
加工しようとする架橋発泡ポリエチレンシート101を用意して供給するようにし、供給された架橋発泡ポリエチレンシート101に等間隔に複数の切開溝106を形成する。切開溝106が形成された架橋発泡ポリエチレンシート101に熱を加えて幅を広げながら、切開溝106を通孔107の形象に変化させるようにし、架橋発泡ポリエチレンシート101の幅と通孔107が拡張された状態を維持するように冷凍させるようにする。
【００１４】
冷却した架橋発泡ポリエチレンシート101の一面または両面にアルミニウムフィルム108を付着させて通孔107を通じてアルミニウムフィルム108の固有機能の高反射機能と低放射機能を発揮することができる熱反射断熱材103を得るようにすることを特徴とする。
【００１５】
本発明の技術が適用される熱反射断熱材の製造装置100は、ロ−ルタイプの架橋発泡ポリエチレンシート101を供給するためのフィーダー102と、製造完了された熱反射断熱材103を巻き取るためのワインダー104を前後方に有するフレーム105を有する。
【００１６】
前記フレーム105の前方にはフィーダー102から供給される架橋発泡ポリエチレンシート101に複数の切開溝106を形成するための切開部110を有し、前記切開部110の後方には切開溝106が形成された架橋発泡ポリエチレンシート101の幅を広げて切開溝106を通孔107(Cell)に変形させる拡張部130を設ける。
【００１７】
前記拡張部130の後方には架橋発泡ポリエチレンシート101の拡張された幅と、切開溝106が変形された通孔107が自身の形象を持続的に維持するようにする冷却部150を設置し、前記冷却部150の後方には幅が広くなって通孔107が形成された架橋発泡ポリエチレンシート101に高反射性と低放射性を発揮するように一面または両面にアルミニウムフィルム108を付着させる合紙部170を設置して構成する。
【００１８】
前記切開部110は供給される架橋発泡ポリエチレンシート101に切開溝106を形成する切開ローラー111と前記切開ローラー111の後方に設置して切開溝106が形成された架橋発泡ポリエチレンシート101を拡張部130へ供給する一対の上、下ピディングロ−ラー112、113で構成する。
【００１９】
前記切開ローラー111はフレーム105に保持され、下方に位置する下部ローラー114と前記下部ローラー114の上方に位置して供給される架橋発泡ポリエチレンシート101に切開溝106を形成するように複数のブレード115を有する上部ローラー116で構成する。
【００２０】
前記切開ローラー111と上、下ピディングローラー112、113は、フレーム105の底面に設置される駆動手段の動力を伝達されて回転するようにし、動力伝達は駆動手段から切開ローラー111の下部ローラー114が伝達され、下部ローラー114は下ピディングロ−ラー113へ動力を伝達して供給される架橋発泡ポリエチレンシート101を媒介して上部ローラー116と上ピディングローラー112がかみ合って回転する形態の構成とする。これは通常の動力伝達形態だと言える。
【００２１】
前記下部ローラー114と切開ローラー111は、切開ローラー111に具備されるブレード115の高さHほど隔たるようにし、供給される架橋発泡ポリエチレンシート101の厚さがブレード115の高さHより厚い場合、加圧しながら切開溝106を形成することになるようにする。
【００２２】
前記ブレード115は、隣接したブレード115とは同一線上に位置せず、互い違いの位置にあるように形成し、前記ブレード115の維持する刃角度は切開溝の形成を容易にしながらも摩耗性を減らすように下部ローラー114の水平面を基準で60゜以下を維持するようにした方が望ましい。
【００２３】
前記拡張部130は入口131が狭く、出口132は広い拡張トンネル133をフレーム105上に保持させ、前記拡張トンネル133の両側には排出される架橋発泡ポリエチレンシート101の両側縁を取って移送させるための移送手段135を設ける。
【００２４】
前記移送手段135は駆動手段の動力を伝達されて回転するように設置する駆動チェーンギアー136と被動チェーンギアー137の間をチェーン138で連結し、前記チェーン138には架橋発泡ポリエチレンシート101を取ることができるように複数のピン139を有するように構成して入口131から出口132へ行くほど、架橋発泡ポリエチレンシート101の幅が広くなるようにする。
【００２５】
前記拡張トンネル133には入口131から出口132へ移送されながら、幅が広くなる架橋発泡ポリエチレンシート101の変形が容易にできるように熱を発生させるヒーター140を設置する。
【００２６】
前記ヒーター140は拡張トンネル133の下側または上側のどちらか１ヶ所にだけ、設置するとか、上、下全部設置するなど様々な形態への実施が可能である。前記冷却部150は拡張されて幅が広くなって、通孔107が形成された状態を持続的に維持するように架橋発泡ポリエチレンシート101を冷却させるように冷却水が循環される一対の冷却ローラー151、152を拡張トンネル133の出口132の後尾に設置して構成する。
【００２７】
前記合紙部170は幅が広くなり、通孔107が形成された架橋発泡ポリエチレンシート101の一面または両面に、アルミニウムフィルム108を付着するように架橋発泡ポリエチレンシート101の表面を溶融させるための上、下一対のヒーティングローラー171、172を設置する。
【００２８】
前記ヒーティングローラー171、172の後尾フレーム105の上、下側にはロ−ルタイプに巻き取られたアルミニウムフィルム108をヒーティングローラー171、172の前方へ供給するようにアルミニウムフィルムフィーダー173を設置し、ヒーティングローラー171、172の上、下側に設置されるガイドローラー174を経由してアルミニウムフィルム108が架橋発泡ポリエチレンシート101の一面または両面に供給されて熱融着によって接着されることができるようにする。
【００２９】
前記切開ローラー111の上部ローラー116と、上ピディングローラー113と、上側に位置する冷却ローラー151と、ヒーティングローラー171とは、高さ調節手段175によって供給される架橋発泡ポリエチレンシート101の厚さに対応するようにする。
【００３０】
前記高さ調節手段175は、本発明ではシリンダーを利用して上、下方向に調節可能にさせる例を示しているが、調節ブロックとスクリューの組合せの構成など様々な形態への実施が可能なことは勿論である。
【００３１】
前記のような本発明の技術が適用された熱反射断熱材の製造装置100を利用して熱反射断熱材の製造方法に対して説明すれば次のようである。本発明の熱反射断熱材は供給段階S1と、切開溝形成段階S2、拡張段階S3、冷却段階S4 及び合紙段階S5からなる。
【００３２】
供給段階S1では加工しようとする架橋発泡ポリエチレンシート101を用意して供給するようにし、切開溝形成段階S2では供給された架橋発泡ポリエチレンシート101に等間隔で複数の切開溝を形成するようにする。
【００３３】
拡張段階S3では切開溝が形成された架橋発泡ポリエチレンシート101の熱を加えて幅を広げながら、切開溝を通孔形象に変化させるようにし、冷却段階S4では架橋発泡ポリエチレンシート101の幅と通孔が拡張された状態を維持するように冷凍させるようにする。
【００３４】
合紙段階S5では冷却された架橋発泡ポリエチレンシート101の一面または両面にアルミニウムフィルムを付着させて通孔を通じてアルミニウムフィルムの固有機能である高反射機能と低放射機能を発揮するようにして製造が完了される。
【００３５】
前記のような各段階に対応して、熱反射断熱材の製造装置100を利用して、熱反射断熱材を作る過程を詳細に見れば次のようである。
【００３６】
フィーダー102にロ−ルタイプの架橋発泡ポリエチレンシート101を具備した後、その先端を切開部(110)に供給させた後、熱反射断熱材の製造装置(100)を作動させれば、架橋発泡ポリエチレンシート101は切開部110を構成する切開ローラー111によって切開溝106が連続的に形成されながら上、下ピディングロ−ラー112、113によって拡張部130に移送される。
【００３７】
前記切開ローラー111によって架橋発泡ポリエチレンシート101に切開溝106が形成される過程は、下部ローラー114が架橋発泡ポリエチレンシート101を支え、下部ローラー114の上側に位置した上部ローラー116がかみ合って回転する形態になる。
【００３８】
このような状態で上部ローラー116に具備される複数のブレード115が架橋発泡ポリエチレンシート101を加圧しながら切開溝106を形成するようになる。前記のように切開溝106が形成された架橋発泡ポリエチレンシート101は、拡張部130へ供給されながら、拡張トンネル133に進入しながら、入口131と出口132の両側縁の間に設置された移送手段135によって固定された状態で拡張トンネル133の入口131から出口132の方向に移送される。
【００３９】
この過程で拡張トンネル133の入口131は、元の架橋発泡ポリエチレンシート101のような幅を維持しているが、出口132に行くほど、その幅は広くなるようになり、同時に拡張トンネル133に設置されたヒーター140によって架橋発泡ポリエチレンシート101に熱が加えられながら伸縮性が付与されるので幅が広くなることになる。
【００４０】
勿論、この時は架橋発泡ポリエチレンシート101に形成された切開溝106は広くなりながら、通孔107の形態に変わるようになり、幅が広くなった状態で拡張トンネル133の出口132方に設置される冷却ローラー151、152を経由するので、冷却して幅が広くなった状態を持続的に維持することができるようになる。
【００４１】
このように冷却して広くなった幅の架橋発泡ポリエチレンシート101は合紙部170に供給され、合紙部170から架橋発泡ポリエチレンシート101の一面または両面にアルミニウムフィルム108を付着するので、熱反射断熱材103が完成され、完成された熱反射断熱材103はワインダー104に巻き取るので完了される。
【００４２】
前記合紙過程ではヒーティングローラー171、172の後尾フレーム105に設置されるアルミニウムフィルムフィーダー102に具備されたアルミニウムフィルム108をガイドローラー174を経由してヒーティングローラー171、172の前で架橋発泡ポリエチレンシート101と共に供給するので、ヒーティングローラー171、172によって熱融着を通じて接着される。
【００４３】
勿論、選択的に架橋発泡ポリエチレンシート101の一面のみ、アルミニウムフィルム(108)を接着しようとする場合は、上、下のどちらか一つのアルミニウムフィルムフィーダーでのみ、アルミニウムフィルム(108)を供給し、両面に全部接着しようとする場合は上、下アルミニウムフィルムフィーダーでアルミニウムフィルム108を供給して接着すればよい。
【００４４】
前記のように架橋発泡ポリエチレンシート101にアルミニウムフィルム108が接着されるので、熱反射断熱材103が完成され、完成された熱反射断熱材103はワインダー104に巻き取ればよい。
【００４５】
図12は本発明の技術が適用された熱反射断熱材の製造装置の他の例を表した構成図として、合紙部170の後方に合紙部170を構成するヒーティングローラー172によって、間接熱を通じて架橋発泡ポリエチレンシート101の一面にアルミニウムフィルム108を付着した架橋発泡ポリエチレンシート101の他の面にアルミニウムフィルム108を直接熱を利用して付着するための第２合紙部180を具備する。
【００４６】
前記第２合紙部180はアルミニウムフィルム108を片面に付着して合紙部(170)から引き出しされる架橋発泡ポリエチレンシート101の他の片面に直接熱を加えて架橋発泡ポリエチレンシート101の表面を溶融させるためのバーナー181を設置する。
【００４７】
前記バーナー181の後方とワインダー104の間には溶融された架橋発泡ポリエチレンシート101の表面に供給ロールを182を通じて供給されるアルミニウムフィルム108を付着するように一対の合紙ローラー183を設置して構成する。
【００４８】
前記バーナー181は架橋発泡ポリエチレンシート101の表面に、直接的に熱を加えるように石油またはガスを熱源にするバーナー181を装着し、前記バーナー181は、架橋発泡ポリエチレンシート101の幅方向に横断するようにして、移送される架橋発泡ポリエチレンシート101の表面に選択的な熱伝逹を可能にする。
【００４９】
前記バーナー181は、可能ならば架橋発泡ポリエチレンシート101の底面に設置すれば、移送される架橋発泡ポリエチレンシート101に 直接熱を容易に伝達することができる。
【００５０】
前記バーナー181で発生する直接熱の温度あるいは強さなどは、移送される架橋発泡ポリエチレンシート101の速度などを考慮して最適の状態を有するようにすることは当然であり、前記合紙ローラー183の場合は、冷却水が循環される形態の通常の冷却ローラータイプを使った方が望ましい。
【００５１】
前記のように製造される熱反射断熱材103を利用してアルミニウムフィルム108が有する固有機能の高反射及び低放射機能に対する実験をした結果、架橋発泡ポリエチレンシート101の厚さがとても薄い場合は、両面に付着するアルミニウムフィルム108が非常に近接して、本来の機能を遂行することができなくなるので、最小5mm以上の厚さを有するようにした方が望ましく、架橋発泡ポリエチレンシート101に形成される通孔107 の面積と通孔107の大きさは、拡張された状態で１m2あたり60〜80％の範囲を有するようにし、一つの通孔107が2cm2以上の大きさを有するようにするのが望ましい。
【００５２】
前記通孔107の面積が１m2あたり60％以下の場合は、アルミニウムフィルム108が有する高反射及び低放射機能を十分に発揮することができなかった。更に、通孔107の大きさが一つ当たり、2cm2以下の状態で面積が１m2あたり60〜80％の範囲内でも、やはりアルミニウムフィルム108が有する高反射及び低放射機能を発揮することができない。
【００５３】
更に、架橋発泡ポリエチレンシート101に形成される通孔(Cell)107と通孔(Cell)107間に形成される隔壁185の幅Bは3〜10mm程度を維持するのが望ましく、隔壁185の幅Bが3mmより狭い場合は通孔(Cell)が自身の形象を維持することができなくなる。
【００５４】
そして、隔壁185の幅Bが10mmより大きい場合は、付着される架橋発泡ポリエチレンシートの両面に付着されるアルミニウムフィルムと、アルミニウムフィルムの間で熱伝導体の役目をして熱伝導率を高めることで、断熱材としての機能を著しく低下させる原因になる。
【００５５】
本発明の他の例では合紙部170によって架橋発泡ポリエチレンシート101の片面には、アルミニウムフィルム108を間接熱(ヒーター)を利用して付着し、他の片面にはバーナー181を利用して直接熱(火)を利用してアルミニウムフィルム108を付着するから、合紙の時には、高温状態で合紙ローラー183によって冷却されることと共に常温に温度が下がりながら、通孔107の内部が空気密度の稀薄な状態になるので準真空状態になる。
【００５６】
前記のように通孔内部の空気密度を稀薄にして準真空状態で維持する場合は、空気による対流または伝導が消え、輻射熱のみ遮断すれば良いので、断熱性能を極大化することができる。
【００５７】
すなわち、空気による伝導あるいは対流を最小化して、独立された通孔が作られているから、空気流れによって生ずる対流熱を防止することができる。更に、空気による伝導を最小化するために、通孔セル内の空気密度を減らして空気の熱伝導抵抗を高めてくれるから、断熱性を高めることができる。
【００５８】
更に、本発明の技術によって作られた熱反射断熱材103を複数層になるように積層する場合は、積層される熱反射断熱材の通孔107が一致する位置になるので、通孔107に位置するアルミニウムフィルムが低放射機能を維持して、積層される程断熱性が高くなる。
【産業上の利用可能性】
【００５９】
以上のような本発明は、通孔が形成された架橋発泡ポリエチレンシートの一面または両面にアルミニウムフィルムを接着した熱反射断熱材を単独に使っても良く、断熱材を構成する構成品で使っても良い。すなわち、断熱材の内部に介して構成品に使う場合も通孔位置のアルミニウムフィルムは、接着面がないからアルミニウムフィルムの固有機能である高反射及び低放射機能を遂行することができて、建築物構築の際、建築物の内外の壁面に施工して断熱性能を向上させることができる。
【符号の説明】
【００６０】
１００    熱反射断熱材の製造装置
１１０    切開部
１３０    拡張部
１５０    冷却部
１７０    合紙部
【図１】
2011521187.tif 000003
【図２】
2011521187.tif 000004
【図３】
2011521187.tif 000005
【図４】
2011521187.tif 000006
【図５】
2011521187.tif 000007
【図６】
2011521187.tif 000008
【図７】
2011521187.tif 000009
【図８】
2011521187.tif 000010
【図９】
2011521187.tif 000011
【図１０】
2011521187.tif 000012
【図１１】
2011521187.tif 000013
【図１２】
2011521187.tif 000014
【図１３】
2011521187.tif 000015
【国際調査報告】
2011521187.tif 000016
2011521187.tif 000017
2011521187.tif 000018
2011521187.tif 000019